(57)【特許請求の範囲】
【請求項１】
所定のブロック単位でユーザーデータを光ディスクに記録する光ディスク装置において、
前記光ディスクは、
エンボスピットによるディスク上の物理アドレスを示すプリアドレスが設けられ、
前記光ディスク装置は、
前記光ディスクにおける前記物理アドレス及び論理アドレスと無関係で、かつ前記各ブロックに固有のブロック識別情報を生成し、
前記ブロック識別情報を、前記各ブロックの同期情報の領域に割り当てて記録すると共に、前記ユーザーデータを前記ブロック識別情報により暗号化して記録し、
前記ブロックは、
所定データ量のセクタが集合して形成され、
前記ブロック識別情報を割り当てる領域の同期情報が、
前記セクタのアドレスを示すセクタアドレスである
ことを特徴とする光ディスク装置。
【請求項２】
所定のブロック単位でユーザーデータを光ディスクに記録する光ディスク装置において、
前記光ディスクは、
エンボスピットによるディスク上の物理アドレスを示すプリアドレスが設けられ、
前記光ディスク装置は、
前記光ディスクにおける前記物理アドレス及び論理アドレスと無関係で、かつ前記各ブロックに固有のブロック識別情報を生成し、
前記ブロック識別情報を、前記各ブロックの同期情報の領域に割り当てて記録すると共に、前記ユーザーデータを前記ブロック識別情報により暗号化して記録し、
前記ブロックは、
所定データ量のセクタが集合して形成され、
前記セクタは、
所定データ量のフレームが集合して形成され、
前記ブロック識別情報を割り当てる領域の同期情報が、
前記フレームのアドレスを示すフレーム同期信号である
ことを特徴とする光ディスク装置。
【請求項３】
所定のブロック単位でユーザーデータを光ディスクに記録する光ディスク装置において、
前記光ディスクは、
エンボスピットによるディスク上の物理アドレスを示すプリアドレスが設けられ、
前記光ディスク装置は、
前記光ディスクにおける前記物理アドレス及び論理アドレスと無関係で、かつ前記各ブロックに固有のブロック識別情報を生成し、
前記ブロック識別情報を、前記各ブロックの同期情報の領域に割り当てて記録すると共に、前記ユーザーデータを前記ブロック識別情報により暗号化して記録し、
前記ブロックは、
クロック生成用の基準信号が付加されて記録され、
前記ブロック識別情報を割り当てる領域の同期情報が、
前記基準信号である
ことを特徴とする光ディスク装置。
【請求項４】
前記ブロック識別情報に誤り訂正符号を付加して記録した
ことを特徴とする請求項１に記載の光ディスク装置。
【請求項５】
前記ブロック識別情報に誤り訂正符号を付加して記録した
ことを特徴とする請求項２に記載の光ディスク装置。
【請求項６】
前記ブロック識別情報に誤り訂正符号を付加して記録した
ことを特徴とする請求項３に記載の光ディスク装置。
【請求項７】
所定のブロック単位でユーザーデータを光ディスクに記録する情報記録方法において、
前記光ディスクは、
エンボスピットによるディスク上の物理アドレスを示すプリアドレスが設けられ、
前記情報記録方法は、
前記光ディスクにおける前記物理アドレス及び論理アドレスと無関係で、かつ前記各ブロックに固有のブロック識別情報を生成し、
前記ブロック識別情報を、前記各ブロックの同期情報の領域に割り当てて記録すると共に、前記ユーザーデータを前記ブロック識別情報により暗号化して記録し、
前記ブロックは、
所定データ量のセクタが集合して形成され、
前記ブロック識別情報を割り当てる領域の同期情報が、
前記セクタのアドレスを示すセクタアドレスである
ことを特徴とする情報記録方法。
【請求項８】
所定のブロック単位でユーザーデータを光ディスクに記録する情報記録方法において、
前記光ディスクは、
エンボスピットによるディスク上の物理アドレスを示すプリアドレスが設けられ、
前記情報記録方法は、
前記光ディスクにおける前記物理アドレス及び論理アドレスと無関係で、かつ前記各ブロックに固有のブロック識別情報を生成し、
前記ブロック識別情報を、前記各ブロックの同期情報の領域に割り当てて記録すると共に、前記ユーザーデータを前記ブロック識別情報により暗号化して記録し、
前記ブロックは、
所定データ量のセクタが集合して形成され、
前記セクタは、
所定データ量のフレームが集合して形成され、
前記ブロック識別情報を割り当てる領域の同期情報が、
前記フレームのアドレスを示すフレーム同期信号である
ことを特徴とする情報記録方法。
【請求項９】
所定のブロック単位でユーザーデータを光ディスクに記録する情報記録方法において、
前記光ディスクは、
エンボスピットによるディスク上の物理アドレスを示すプリアドレスが設けられ、
前記情報記録方法は、
前記光ディスクにおける前記物理アドレス及び論理アドレスと無関係で、かつ前記各ブロックに固有のブロック識別情報を生成し、
前記ブロック識別情報を、前記各ブロックの同期情報の領域に割り当てて記録すると共に、前記ユーザーデータを前記ブロック識別情報により暗号化して記録し、
前記ブロックは、
クロック生成用の基準信号が付加されて記録され、
前記ブロック識別情報を割り当てる領域の同期情報が、
前記基準信号である
ことを特徴とする情報記録方法。
【請求項１０】
前記ブロック識別情報に誤り訂正符号を付加して記録した
ことを特徴とする請求項７に記載の情報記録方法。
【請求項１１】
前記ブロック識別情報に誤り訂正符号を付加して記録した
ことを特徴とする請求項８に記載の情報記録方法。
【請求項１２】
前記ブロック識別情報に誤り訂正符号を付加して記録した
ことを特徴とする請求項９に記載の情報記録方法。
【請求項１３】
所定のブロック単位で光ディスクに記録されたユーザーデータを再生する光ディスク装置において、
前記光ディスクは、
エンボスピットによるディスク上の物理アドレスを示すプリアドレスが設けられ、
前記光ディスク装置は、
前記各ブロックの同期情報の記録領域より、前記ブロックに固有のブロック識別情報を再生し、
前記ブロック識別情報を基準にして再生したユーザーデータの暗号化を解除して出力し、
前記ブロックは、
所定データ量のセクタが集合して形成され、
前記ブロック識別情報を再生する記録領域の同期情報が、
前記セクタのアドレスを示すセクタアドレスである
ことを特徴とする光ディスク装置。
【請求項１４】
所定のブロック単位で光ディスクに記録されたユーザーデータを再生する光ディスク装置において、
前記光ディスクは、
エンボスピットによるディスク上の物理アドレスを示すプリアドレスが設けられ、
前記光ディスク装置は、
前記各ブロックの同期情報の記録領域より、前記ブロックに固有のブロック識別情報を再生し、
前記ブロック識別情報を基準にして再生したユーザーデータの暗号化を解除して出力し、
前記ブロックは、
所定データ量のセクタが集合して形成され、
前記セクタは、
所定データ量のフレームが集合して形成され、
前記ブロック識別情報を再生する記録領域の同期情報が、
前記フレームのアドレスを示すフレーム同期信号である
ことを特徴とする光ディスク装置。
【請求項１５】
所定のブロック単位で光ディスクに記録されたユーザーデータを再生する光ディスク装置において、
前記光ディスクは、
エンボスピットによるディスク上の物理アドレスを示すプリアドレスが設けられ、
前記光ディスク装置は、
前記各ブロックの同期情報の記録領域より、前記ブロックに固有のブロック識別情報を再生し、
前記ブロック識別情報を基準にして再生したユーザーデータの暗号化を解除して出力し、
前記ブロックは、
クロック生成用の基準信号が付加されて記録され、
前記ブロック識別情報を再生する記録領域の同期情報が、
前記基準信号である
ことを特徴とする光ディスク装置。
【請求項１６】
前記ブロック識別情報に付加された誤り訂正符号により、前記ブロック識別情報を誤り訂正処理する
ことを特徴とする請求項１３に記載の光ディスク装置。
【請求項１７】
前記ブロック識別情報に付加された誤り訂正符号により、前記ブロック識別情報を誤り訂正処理する
ことを特徴とする請求項１４に記載の光ディスク装置。
【請求項１８】
前記ブロック識別情報に付加された誤り訂正符号により、前記ブロック識別情報を誤り訂正処理する
ことを特徴とする請求項１５に記載の光ディスク装置。
【請求項１９】
所定のブロック単位で光ディスクに記録されたユーザーデータを再生する情報再生方法において、
前記光ディスクは、
エンボスピットによるディスク上の物理アドレスを示すプリアドレスが設けられ、
前記情報再生方法は、
前記各ブロックの同期情報の記録領域より、前記ブロックに固有のブロック識別情報を再生し、
前記ブロック識別情報を基準にして再生したユーザーデータの暗号化を解除して出力し、
前記ブロックは、
所定データ量のセクタが集合して形成され、
前記ブロック識別情報を再生する記録領域の同期情報が、
前記セクタのアドレスを示すセクタアドレスである
ことを特徴とする情報再生方法。
【請求項２０】
所定のブロック単位で光ディスクに記録されたユーザーデータを再生する情報再生方法において、
前記光ディスクは、
エンボスピットによるディスク上の物理アドレスを示すプリアドレスが設けられ、
前記情報再生方法は、
前記各ブロックの同期情報の記録領域より、前記ブロックに固有のブロック識別情報を再生し、
前記ブロック識別情報を基準にして再生したユーザーデータの暗号化を解除して出力し、
前記ブロックは、
所定データ量のセクタが集合して形成され、
前記セクタは、
所定データ量のフレームが集合して形成され、
前記ブロック識別情報を再生する記録領域の同期情報が、
前記フレームのアドレスを示すフレーム同期信号である
ことを特徴とする情報再生方法。
【請求項２１】
所定のブロック単位で光ディスクに記録されたユーザーデータを再生する情報再生方法において、
前記光ディスクは、
エンボスピットによるディスク上の物理アドレスを示すプリアドレスが設けられ、
前記情報再生方法は、
前記各ブロックの同期情報の記録領域より、前記ブロックに固有のブロック識別情報を再生し、
前記ブロック識別情報を基準にして再生したユーザーデータの暗号化を解除して出力し、
前記ブロックは、
クロック生成用の基準信号が付加されて記録され、
前記ブロック識別情報を再生する記録領域の同期情報が、
前記基準信号である
ことを特徴とする情報再生方法。
【請求項２２】
前記ブロック識別情報に付加された誤り訂正符号により、前記ブロック識別情報を誤り訂正処理する
ことを特徴とする請求項１９に記載の情報再生方法。
【請求項２３】
前記ブロック識別情報に付加された誤り訂正符号により、前記ブロック識別情報を誤り訂正処理する
ことを特徴とする請求項２０に記載の情報再生方法。
【請求項２４】
前記ブロック識別情報に付加された誤り訂正符号により、前記ブロック識別情報を誤り訂正処理する
ことを特徴とする請求項２１に記載の情報再生方法。
【請求項２５】
所定のブロック単位でユーザーデータを記録した光ディスクにおいて、
エンボスピットによるディスク上の物理アドレスを示すプリアドレスが設けられ、
前記光ディスクにおける前記物理アドレス及び論理アドレスと無関係で、かつ前記各ブロックに固有のブロック識別情報が、前記各ブロックの同期情報の領域に割り当てられて記録され、
前記ユーザーデータが前記ブロック識別情報により暗号化して記録され、
前記ブロックは、
所定データ量のセクタが集合して形成され、
前記ブロック識別情報が割り当てられた領域の同期情報が、
前記セクタのアドレスを示すセクタアドレスである
ことを特徴とする光ディスク。
【請求項２６】
所定のブロック単位でユーザーデータを記録した光ディスクにおいて、
エンボスピットによるディスク上の物理アドレスを示すプリアドレスが設けられ、
前記光ディスクにおける前記物理アドレス及び論理アドレスと無関係で、かつ前記各ブロックに固有のブロック識別情報が、前記各ブロックの同期情報の領域に割り当てられて記録され、
前記ユーザーデータが前記ブロック識別情報により暗号化して記録され、
前記ブロックは、
所定データ量のセクタが集合して形成され、
前記セクタは、
所定データ量のフレームが集合して形成され、
前記ブロック識別情報が割り当てられた領域の同期情報が、
前記フレームのアドレスを示すフレーム同期信号である
ことを特徴とする光ディスク。
【請求項２７】
所定のブロック単位でユーザーデータを記録した光ディスクにおいて、
エンボスピットによるディスク上の物理アドレスを示すプリアドレスが設けられ、
前記光ディスクにおける前記物理アドレス及び論理アドレスと無関係で、かつ前記各ブロックに固有のブロック識別情報が、前記各ブロックの同期情報の領域に割り当てられて記録され、
前記ユーザーデータが前記ブロック識別情報により暗号化して記録され、
前記ブロックは、
クロック生成用の基準信号が付加されて記録され、
前記ブロック識別情報が割り当てられた領域の同期情報が、
前記基準信号である
ことを特徴とする光ディスク。
【請求項２８】
前記ブロック識別情報に誤り訂正符号が付加されて記録された
ことを特徴とする請求項２５に記載の光ディスク。
【請求項２９】
前記ブロック識別情報に誤り訂正符号が付加されて記録された
ことを特徴とする請求項２６に記載の光ディスク。
【請求項３０】
前記ブロック識別情報に誤り訂正符号が付加されて記録された
ことを特徴とする請求項２７に記載の光ディスク。
【発明の詳細な説明】
【０００１】
【発明の属する技術分野】
本発明は、光ディスク装置、情報記録方法、情報再生方法及び光ディスクに関し、例えば相変化型光ディスクに所望のデータを記録する光ディスク装置、この光ディスク装置によりデータを記録した光ディスクに適用することができる。本発明は、各ブロックのブロック識別情報又は光ディスクのディスク識別情報を所定ブロックの同期情報の領域に割り当てて記録することにより、発見、解析困難に、暗号化のキーデータ等を記録することができるようにする。
【０００２】
【従来の技術】
従来、光ディスク装置においては、再生専用型ディスク（以下ＲＯＭディスクと呼ぶ）と、追記型ディスク、書換え型ディスク（以下ＲＡＭディスクと呼ぶ）とでデータ処理単位を共通化することにより、記録再生のデータ処理回路をこれらの光ディスクで共通に使用できるようになされている。
【０００３】
すなわち図７（Ａ）及び（Ｂ）は、ＤＶＤ（Digital Video Disk）のＲＯＭディスクとＲＡＭディスクとのデータフォーマットを示す略線図である。これらの光ディスクにおいては、２６フレームのユーザーデータにより１セクタが構成され、さらに１６セクタにより１つのＥＣＣデータブロックが構成される。なおここでＥＣＣデータブロックは、誤り訂正処理単位のデータブロックであり、種々の記録再生装置においては、この１のＥＣＣデータブロックにより例えば積符号形式の誤り訂正符号が付加される。
【０００４】
各ＥＣＣデータブロックは、フレーム同期、セクタ同期等のための各種同期情報が割り当てられる。すなわちＥＣＣデータブロックは、各フレームの先頭にフレーム同期信号ＳＹ０〜ＳＹ７が割り当てられ、再生時、このフレーム同期信号ＳＹ０〜ＳＹ７によりフレーム同期できるようになされ、また連続するフレーム同期信号ＳＹ０〜ＳＹ７の比較によりセクタ内におけるフレームアドレスを検出することができるようになされている。またＥＣＣデータブロックは、各セクタの先頭に、セクタアドレスＳ．ＡＤが割り当てられ、再生時、このセクタアドレスＳ．ＡＤによりセクタ同期できるようになされている。
【０００５】
ＲＯＭディスクは（図７（Ａ））、このようなＥＣＣデータブロックの繰り返しによるデータ列に対応して、情報記録面にピット列が形成され、再生時、これらピット列よりクロックを再生すると共に、このクロックを用いてセクタアドレス、フレーム同期信号ＳＹ０〜ＳＹ７を検出してデータを再生できるようになされている。
【０００６】
これに対してＲＡＭディスクは（図７（Ｂ））、各セクタに、さらに同期情報が割り当てられる。すなわちＲＡＭディスクは、プリアドレス領域によるＶＦＯ信号ＶＦＯ、セクタアドレスＳＳがさらに割り当てられ、このＶＦＯ信号ＶＦＯによりクロックを再生できるようになされ、またセクタアドレスＳＳによりセクタ同期できるようになされている。
【０００７】
ＲＡＭディスクは、情報記録面に、プリピットによる物理アドレスが割り当てられていることにより、このようなデータ構造によるデータ列については、このプリアドレスを基準にして記録するようになされ、また再生時おいては、このプリアドレス、フレーム同期信号ＳＹ０〜ＳＹ７を基準にして再生できるようになされている。
【０００８】
すなわち図８は、この種の光ディスクをアクセスする光ディスク装置を示すブロック図である。この光ディスク装置１において、スピンドルモータ２は、図示しないスピンドルサーボ回路の制御により、光ディスク３を所定の回転速度により回転駆動する。
【０００９】
光ピックアップ４は、内蔵の半導体レーザーよりレーザービームを射出し、図示しない対物レンズを介してこのレーザービームを光ディスク３の情報記録面に照射する。さらに光ピックアップ４は、この光ディスク３で反射されるレーザービームの戻り光を所定の受光素子で受光し、その受光結果を出力する。光ディスク装置１は、この受光結果より光ピックアップ４をトラッキング制御、フォーカス制御する。また光ピックアップ４は、受光結果より光ディスク３に形成されたピット及びランドに応じて信号レベルが変化する再生信号ＲＦを出力し、これにより光ディスク装置１では、この再生信号ＲＦを処理して光ディスク３に記録された情報を再生できるようになされている。
【００１０】
さらに光ピックアップ４は、データ記録時、駆動信号Ｓ１に応じて再生時の光量より間欠的にレーザービームの光量を立ち上げ、これにより駆動信号Ｓ１に応じてピット列を形成して対応するデータを光ディスク３に記録できるようになされている。さらに光ピックアップ４は、所定の送り機構により光ディスク３の半径方向に可動するように構成置され、これにより光ディスク３を種々にアクセスできるようになされている。
【００１１】
レーザードライバ５は、記録時、変調復調回路７より出力されるチャンネルデータＤＲにより光ピックアップ４の半導体レーザーを駆動し、これによりチャンネルデータＤＲに応じたピット列を光ディスク３に形成する。
【００１２】
信号検出回路６は、記録時及び再生時、光ピックアップ４より出力される再生信号ＲＦよりクロックを再生し、このクロックを基準にして再生信号ＲＦを順次処理することにより、再生信号ＲＦを２値識別してなる再生データＤＰを出力する。
【００１３】
変調復調回路７は、記録時、メモリ８よりＥＣＣデータブロック単位で記録に供するデータを読み出し、これらデータを所定フォーマットにより変調してチャンネルデータＤＲを生成する。このとき変調復調回路７は、図７について上述した同期信号ＳＹ０〜ＳＹ７、セクタアドレス、ＶＦＯ信号ＶＦＯ等を付加してチャンネルデータＤＲを出力する。
【００１４】
これに対して再生時、変調復調回路７は、信号検出回路６より出力される再生データＤＰに対して、フレーム同期信号を用いたフレーム同期、セクタアドレスを用いたセクタ同期が図られ、これらフレーム同期、セクタ同期のタイミングを基準にして順次入力される再生データＤＰを復号してメモリ８に出力する。
【００１５】
メモリ８は、記録時、インターフェース１０より入力されるユーザーデータＤ１を一時保持してデータ処理回路９に送出する。またメモリ８は、このデータ処理回路９より入力される誤り訂正符号（ＥＣＣ：Error Correcting Code)、誤り検出符号（ＥＤＣ：Error Detecting Code) 等が付加されて、さらにスクランブル処理されてなるユーザーデータＤ１を一時保持し、所定順序により変調復調回路７に出力する。
【００１６】
これに対して再生時、メモリ８は、変調復調回路７より入力される再生データＤＰを保持し、この再生データＤＰをデータ処理回路９に出力する。さらにメモリ８は、その結果得られる誤り訂正処理、デスクランブル処理されてなるユーザーデータＤ１を一時保持し、インターフェース１０に所定順序で出力する。
【００１７】
メモリ８においては、これら記録時及び再生時におけるデータの入出力によりＥＣＣデータブロック単位でインターリーブ処理、デインターリーブ処理を実行するようになされている。
【００１８】
データ処理回路９は、記録時、誤り検出回路（ＥＤＣ）９Ａにおいて、メモリ８より入力されるユーザーデータＤ１より誤り検出用符号を生成し、続く暗号化回路（ＳＣＲ）９Ｂは、この誤り検出回路９Ａより入力されるユーザーデータＤ１及び誤り検出用符号をスクランブル処理して出力する。またデータ処理回路９は、この暗号化回路９Ｂの出力データに誤り訂正回路（ＥＣＣ）９Ｃにより誤り訂正符号を付加し、メモリ８に出力する。これにより光ディスク装置１においては、ＥＣＣデータブロックを単位にしてスクランブル処理、誤り訂正処理できるようになされている。
【００１９】
これに対して再生時、データ処理回路９は、誤り訂正回路（ＥＣＣ）９Ｃにおいて、メモリ８より入力される再生データに付加された誤り訂正符号によりユーザーデータＤ１を誤り訂正処理し、続く暗号化回路９Ｂによりデスクランブル処理する。さらにデータ処理回路９は、続く誤り検出回路９Ａにおいて、ユーザーデータＤ１に付加された誤り検出符号により暗号化回路９Ｂから出力されるユーザーデータＤ１の誤りを検出し、その誤り検出結果をユーザーデータＤ１と共にメモリ８に出力する。
【００２０】
インターフェース（Ｉ／Ｆ）１０は、記録時、外部機器より入力されるユーザーデータＤ１をメモリ８に出力し、また再生時、メモリ８より出力されるユーザーデータＤ１を外部機器に出力する。さらにインターフェース１０は、この記録再生の動作を指示する制御コマンド、制御コマンドに対応するステータースデータ等を外部機器との間で入出力し、光ディスク装置１においては、これによりこの外部機器のアプリケーションプログラムの制御に従って、光ディスク３にユーザーデータＤ１を記録し、また光ディスク３よりユーザーデータＤ１を再生して出力する。
【００２１】
このようにして光ディスク３をアクセスする光ディスク装置１においては、ＲＡＭディスクをアクセスする場合、ＲＡＭディスクに形成されたプリピットによる物理アドレスを変調復調回路７で検出し、この物理アドレスのタイミングを基準にして図７（Ｂ）について上述したＥＣＣデータブロックを順次記録する。
【００２２】
また再生時においては、同様に、変調復調回路７において、物理アドレスのタイミングを基準にして、フレーム同期信号、セクタアドレスによりフレーム同期、セクタ同期が図られ、さらにＶＦＯ信号ＶＦＯを基準にしてクロックの再同期が図られ、これにより記録時とほぼ同様のタイミング制御によりＥＣＣデータブロック単位で再生データＤＰを処理できるようになされている。
【００２３】
【発明が解決しようとする課題】
ところでこのようにして暗号化されて所望のユーザーデータが記録される光ディスクにおいて、この暗号化を解除するキーデータを通常のユーザーデータの記録領域に記録したのでは、簡易にこの種のキーデータを発見、解析されると考えられる。
【００２４】
また外部機器で使用する通常のアプリケーションソフトからのアクセスコマンドによりアクセスできるような箇所にこの種のキーデータを記録して、同様に発見、解析される恐れがあることにより、避けることが望まれる。さらにこのようなアプリケーションソフトのみならず、インターフェースを介して入力されるオエペレーションシステムレベルのアクセスによっても、この種のキーデータをアクセス困難にすることが望まれる。
【００２５】
因みに、この種のキーデータが発見、解析されれば、このキーデータを用いて簡易に暗号化が解除され、この種の暗号化による違法コピーを排除する試みが何ら意味を成さなくなる。
【００２６】
本発明は以上の点を考慮してなされたもので、発見、解析困難に、暗号化のキーデータ等を記録することができる光ディスク装置及び情報記録方法、これらに対応する情報再生方法及び光ディスクを提案しようとするものである。
【００２７】
【課題を解決するための手段】
かかる課題を解決するため請求項１〜３又は請求項７〜９の発明においては、光ディスク装置又は情報記録方法において、光ディスクは、エンボスピットによるディスク上の物理アドレスを示すプリアドレスが設けられ、光ディスクにおける物理アドレス及び論理アドレスと無関係で、かつ各ブロックに固有のブロック識別情報を生成し、このブロック識別情報を、各ブロックの同期情報の領域に割り当てて記録すると共に、ユーザーデータをブロック識別情報により暗号化して記録する。また請求項１又は請求項７の発明において、このブロックは、所定データ量のセクタが集合して形成され、ブロック識別情報を割り当てる領域の同期情報が、セクタのアドレスを示すセクタアドレスであるようにする。また請求項２又は請求項８の発明において、このブロックは、所定データ量のセクタが集合して形成され、セクタは、所定データ量のフレームが集合して形成され、ブロック識別情報を割り当てる領域の同期情報が、フレームのアドレスを示すフレーム同期信号であるようにする。また請求項３又は請求項９の発明において、このブロックは、クロック生成用の基準信号が付加されて記録され、ブロック識別情報を割り当てる領域の同期情報が、この基準信号であるようにする。
【００２９】
また請求項１３〜１５又は請求項１９〜２１の発明においては、光ディスク装置又は情報再生方法において、光ディスクは、エンボスピットによるディスク上の物理アドレスを示すプリアドレスが設けられ、各ブロックの同期情報の領域より、各ブロックに固有のブロック識別情報を再生し、このブロック識別情報を基準にして再生したユーザーデータの暗号化を解除して出力する。また請求項１３又は請求項１９の発明において、このブロックは、所定データ量のセクタが集合して形成され、ブロック識別情報を割り当てる領域の同期情報が、セクタのアドレスを示すセクタアドレスであるようにする。また請求項１４又は請求項２０の発明において、このブロックは、所定データ量のセクタが集合して形成され、セクタは、所定データ量のフレームが集合して形成され、ブロック識別情報を割り当てる領域の同期情報が、フレームのアドレスを示すフレーム同期信号であるようにする。また請求項１５又は請求項２１の発明において、このブロックは、クロック生成用の基準信号が付加されて記録され、ブロック識別情報を割り当てる領域の同期情報が、この基準信号であるようにする。
【００３１】
また請求項２５〜２７の発明においては、光ディスクにおいて、エンボスピットによるディスク上の物理アドレスを示すプリアドレスが設けられ、光ディスクにおける物理アドレス及び論理アドレスと無関係で、かつ各ブロックに固有のブロック識別情報が、各ブロックの同期情報の領域に割り当てられて記録されてなるようにする。また請求項２５の発明において、このブロックは、所定データ量のセクタが集合して形成され、ブロック識別情報を割り当てる領域の同期情報が、セクタのアドレスを示すセクタアドレスであるようにする。また請求項２６の発明において、このブロックは、所定データ量のセクタが集合して形成され、セクタは、所定データ量のフレームが集合して形成され、ブロック識別情報を割り当てる領域の同期情報が、フレームのアドレスを示すフレーム同期信号であるようにする。また請求項２７の発明においては、このブロックは、クロック生成用の基準信号が付加されて記録され、ブロック識別情報を割り当てる領域の同期情報が、この基準信号であるようにする。
【００３３】
ブロック識別情報を各ブロックの同期情報の領域に割り当てて記録すれば、アプリケーションソフトのみならず、通常のインターフェースを介して入力されるオペレーションシステムレベルのアクセスによっても、この種のキーデータをアクセス困難にすることができる。これによりこのブロック識別情報が、光ディスクにおける物理アドレス及び論理アドレスと無関係で、かつ各ブロックに固有の情報である場合に、このブロック識別情報を利用して暗号化の処理等を実行すると共に、暗号化の解除に必要なブロック識別情報を発見、解析困難に記録することができる。
【００３５】
また光ディスク装置又は情報再生方法において、各ブロックの同期情報の領域より、各ブロックに固有のブロック識別情報を再生し、又は光ディスクに固有のディスク識別情報を再生し、このブロック識別情報又はディスク識別情報を基準にして再生したユーザーデータを処理して出力すれば、このように発見、解析困難に記録したブロック識別情報又はディスク識別情報により暗号化して記録したユーザーデータの暗号化を解除することができる。
【００３７】
【発明の実施の形態】
以下、適宜図面を参照しながら本発明の実施の形態を詳述する。
【００３８】
（１）第１の実施の形態
（１−１）第１の実施の形態の構成
図２は、本発明の第１の実施の形態に係る光ディスク装置を示すブロック図である。この光ディスク装置２１は、図７について上述したＲＡＭディスクにユーザーデータＤ１を記録し、またＲＡＭディスクに記録されたユーザーデータＤ１を再生して出力する。なお光ディスク装置２１において、図８について上述した光ディスク装置１と同一の構成は、対応する符号を付して示し、重複した説明は省略する。なおこの実施の形態は、本願の参考例を示すものである。
【００３９】
この光ディスク装置２１において、光ディスク２２は、図７について上述したＲＡＭディスクであり、例えば最内周のリードインエリアに隣接した１つのＥＣＣデータブロック分の領域が制御領域に割り当てられる。光ディスク２２は、この制御領域にディスクＩＤが記録され、このディスクＩＤにより暗号化されたユーザーデータが他の領域に記録されるようになされている。
【００４０】
すなわち図３に示すように、光ディスク２２は、この制御領域において、同期信号であるセクタアドレスの領域（図３においてハッチングにより示す）にディスクＩＤが誤り訂正符号と共に記録される。ここでこのＲＡＭディスクにおいては、このセクタアドレスとしての各セクタのヘッダに、４バイトの識別データ、２バイトの誤り検出符号、６バイトのコピー禁止データが割り当てられ、これにより１のセクタアドレスに１２バイトのセクタアドレスが割り当てられる。これにより光ディスク２２は、１６セクタにより１つのＥＣＣデータブロックが構成されることにより、１つのＥＣＣデータブロック当たり１９２バイトをディスクＩＤの記録に割り当てることが可能となる。因みに、ディスクＩＤの記録にコピー禁止データの領域を割り当てないようにしても、１つのＥＣＣデータブロック当たり９６バイトをディスクＩＤの記録に割り当てることが可能となる。
【００４１】
これにより光ディスク２２は、リードソロモンコード（９６，８０，１７）により８０バイトのディスクＩＤに誤り訂正符号を付加し、４バイトの識別データ、２バイトの誤り検出符号に代えて各セクタアドレスの記録領域にディスクＩＤが記録されるようになされている。
【００４２】
さらに光ディスク２２は、この制御領域のユーザーデータについては、外周側領域における、光ディスク２２のエンボスピットによる物理アドレスと論理アドレスとの対応を示すテーブルデータ等の、外周側領域の記録再生に必要な各種データが制御データとして記録されるようになされている。
【００４３】
この光ディスク装置２１においては（図２）、インターフェース１０から変調復調回路２３までの回路ブロックが一体に集積回路化されて記録再生回路２４が構成され、これにより内部の各回路ブロック間におけるデータ転送を解析困難として、キーデータ等を発見困難とするようになされている。
【００４４】
ここで変調復調回路２３は、再生データＤＰより、光ディスク３の物理アドレスを基準にしてクロック、各種タイミング信号を生成することにより、記録時、メモリ８より記録に供するデータを順次読み出し、これらデータを所定フォーマットにより変調してチャンネルデータＤＲを生成する。このとき変調復調回路２３は、フレーム同期信号ＳＹ０〜ＳＹ７、セクタアドレスＳＳ、Ｓ．ＡＤ、ＶＦＯ信号ＶＦＯを付加してチャンネルデータＤＲを出力する。
【００４５】
このような記録の処理において、変調復調回路２３は、光ディスク２２に制御領域を形成する場合（後述する初期化処理である）、レジスタ２５より供給されるディスクＩＤに、誤り訂正符号、コピー禁止データをセクタアドレスＳ．ＡＤに代えて出力する。さらに変調復調回路２３は、この場合メモリ８より出力されるユーザーデータに代えて、レジスタ２５より供給される制御データをユーザーデータの領域に割り当ててＥＣＣデータブロックを構成する。
【００４６】
これに対して再生時、変調復調回路２３は、光ディスク３の物理アドレスのピット列を基準にしてクロックを生成し、このクロックにより光ディスク３の物理アドレスを取得する。さらにこの物理アドレス取得のタイミングを基準にしてＶＦＯ信号ＶＦＯによりクロックを再同期させ、セクタアドレスＳＳ、フレーム同期信号ＳＹ０〜ＳＹ７を取得する。このとき変調復調回路２３は、物理アドレス検出のタイミングを基準にして所定のカウンタによりクロックをカウントする。さらに変調復調回路２３は、このカウンタによるカウント結果を、再生データＤＰより得られるセクタアドレスＳＳ、フレーム同期信号ＳＹ０〜ＳＹ７の検出結果とを比較し、この比較結果によりカウント結果を補正すると共に最終的にセクタアドレス、フレームアドレスを判定し、さらにはカウント結果よりフレーム同期、セクタ同期する。
【００４７】
変調復調回路２３は、制御領域については、このフレーム同期、セクタ同期によりセクタアドレスＳ．ＡＤに代えて記録したディスクＩＤ、制御データを検出し、このディスクＩＤ、制御データをレジスタ２５に出力する。また通常のユーザーデータについては、このフレーム同期、セクタ同期によりＥＣＣデータブロック単位で再生データＤＰをメモリ８に出力する。
【００４８】
データ処理回路２６は、記録時、誤り検出回路（ＥＤＣ）２６Ａにおいて、メモリ８より入力されるユーザーデータＤ１より誤り検出用符号を生成し、続く暗号化回路（ＳＣＲ）２６Ｂは、この誤り検出回路２６Ａより入力されるユーザーデータＤ１及び誤り検出用符号をスクランブル処理して出力する。またデータ処理回路２６は、この暗号化回路２６Ｂの出力データに誤り訂正回路（ＥＣＣ）２６Ｃにより誤り訂正符号を付加し、メモリ８に出力する。これにより光ディスク装置１においては、ＥＣＣデータブロックを単位にしてスクランブル処理、誤り訂正処理できるようになされている。
【００４９】
これに対して再生時、データ処理回路２６は、誤り訂正回路（ＥＣＣ）２６Ｃにおいて、メモリ８より入力される再生データに付加された誤り訂正符号によりユーザーデータＤ１を誤り訂正処理し、続く暗号化回路２６Ｂによりデスクランブル処理する。さらにデータ処理回路２６は、続く誤り検出回路２６Ａにおいて、ユーザーデータＤ１に付加された誤り検出符号により暗号化回路２６Ｂから出力されるユーザーデータＤ１の誤りを検出し、その誤り検出結果をユーザーデータＤ１と共にメモリ８に出力する。
【００５０】
データ処理回路２６は、ディスクＩＤレジスタ２７より出力されるディスクＩＤを基準にして、これらユーザーデータＤ１を暗号化処理し、また再生時においいては暗号化を解除する。
【００５１】
これに対して初期化の処理においては、レジスタ２５より出力されるディスクＩＤのデータ、制御データを誤り検出回路２６Ａに入力し、ここで誤り検出符号を付加する。さらにデータ処理回路２６は、暗号化回路２６Ｂにおいて、事前に設定された各種の光ディスク２２で共通するキーデータにより誤り検出回路２６Ａの出力データを暗号化処理し、続く誤り訂正回路２６Ｃにおいて、誤り訂正符号を付加する。データ処理回路２６は、このようにして処理したディスクＩＤ、制御データをレジスタ２５に再格納し、これにより光ディスク装置１においては、このレジスタ２５に再格納されたディスクＩＤ、制御データが変調復調回路２３によりチャンネルデータＤＲに変換されて、ディスクＩＤについてはセクタアドレスＳ．ＡＤの領域に、制御データについてはユーザーデータの領域に記録されるようになされている。
【００５２】
これに対して制御領域をアクセスする場合、データ処理回路２６においては、レジスタ２５より再生されたディスクＩＤのデータ、制御データを受け、誤り訂正回路２６ＣによりこのディスクＩＤ、制御データを誤り訂正処理する。さらに続く暗号化回路２６ＢによりこのディスクＩＤ、制御データの暗号化を解除した後、続く誤り検出回路２６Ａにより誤り検出処理する。データ処理回路２６は、この誤り検出回路２６Ａより出力されるディスクＩＤ、制御データをレジスタ２５に再格納する。
【００５３】
ディスクＩＤレジスタ２７は、初期化の処理においては、所定の乱数発生回路により発生した乱数をディスクＩＤとして保持し、この保持したディスクＩＤをレジスタ２５に出力する。またディスクＩＤレジスタ２７は、ユーザーデータＤ１の記録再生時、このようにして保持したディスクＩＤをデータ処理回路２６の暗号化回路２６Ｂにセットする。
【００５４】
これに対してディスクＩＤレジスタ２７は、光ディスク２２よりディスクＩＤが再生されてレジスタ２５に保持されると、このレジスタ２５に保持されたディスクＩＤを入力して保持し、同様に暗号化回路２６Ｂにセットする。
【００５５】
光ディスク装置１においては、図示しないシステム制御回路により全体の動作が制御され、このシステム制御回路の制御により光ディスク２２について制御領域の有無が判定され、この判定結果より光ディスク２２に制御領域を形成してディスクＩＤを記録し、また光ディスク２２の制御領域よりディスクＩＤを再生する。さらにシステム制御回路は、このようにして光ディスク２２に記録したディスクＩＤにより、又は光ディスク２２より取得したディスクＩＤにより、ユーザーデータＤ１を暗号化し、さらに光ディスク２２より再生したユーザーデータＤ１の暗号化を解除するように全体の動作を制御する。
【００５６】
図１は、このシステム制御回路の処理手順を示すフローチャートである。システム制御回路は、電源が投入されると、ステップＳＰ１からステップＳＰ２に移る。ここでシステム制御回路は、光ディスク２２の装填を待機し、光ディスク２２が装填されると、ステップＳＰ３に移る。
【００５７】
ここでシステム制御回路は、光ディスク装置に一般的な処理である光ディスク２２の内周側リードインエリアをアクセスするように全体の動作を制御し、このリードインエリアより種々の情報を取得する。さらにシステム制御回路は、このリードインエリアに隣接する内周側領域をアクセスするように全体の動作を制御し、ここでこの変調復調回路２３における再生データＤＰの処理結果よりこの内周側領域に制御領域が形成されているか否か判断する。これによりシステム制御回路は、このステップＳＰ３において、光ディスク２２が初期化されていない未使用のＲＡＭディスクか否か判断する。システム制御回路は、制御領域が形成されていない場合、この光ディスク２２は未使用の光ディスクと判断し、ステップＳＰ４に移る。
【００５８】
システム制御回路は、このステップＳＰ４において、ディスクＩＤレジスタ２７に制御データをセットすると共に、ディスクＩＤレジスタ２７にディスクＩＤをセットし、これによりディスクＩＤ及び制御データをデータ処理回路２６により暗号化し、また誤り訂正符号を付加する。さらにシステム制御回路は、制御領域をアクセスするように、光ピックアップ４の送り機構等を制御し、リードインエリアに続いてディスクＩＤ、制御データを記録して制御領域を形成した後、ステップＳＰ５に移る。
【００５９】
システム制御回路は、これに対して制御領域が既に形成されている場合、ステップＳＰ３において未使用ディスクではないと判断してステップＳＰ６に移る。ここでシステム制御回路は、この制御領域より得られる再生データＤＰをレジスタ２５に取り込んだ後、この取り込んだ再生データＤＰをデータ処理回路２６により処理し、これによりディスクＩＤ、制御データを再生する。システム制御回路は、この制御データを内蔵のメモリに取り込んで保持すると共に、ディスクＩＤについてはディスクＩＤレジスタ２７に保持する。
【００６０】
これによりシステム制御回路は、未使用ディスクについては、ディスクＩＤを制御データと共に光ディスク２２に記録し、このディスクＩＤ及び制御データによりユーザーデータＤ１を記録再生できるようになされ、既に制御領域が形成された光ディスク２２については、この制御領域より再生したディスクＩＤ及び制御データによりユーザーデータを記録再生できるようになされている。
【００６１】
すなわちシステム制御回路は、ステップＳＰ５において、操作が終了したか否か判断し、ここで否定結果が得られると、ステップＳＰ７に移る。ここでシステム制御回路は、ユーザー領域へのユーザーデータの記録が指示されたか、ユーザーデータの再生が指示されたか判断し、ここでユーザーデータの記録が指示された場合、ステップＳＰ８に移る。ここでシステム制御回路は、暗号化回路２６ＢにディスクＩＤをセットし、順次入力されるユーザーデータを暗号化処理してＥＣＣデータブロックを構成し、このＥＣＣデータブロックを順次光ディスクに記録した後、ステップＳＰ５に戻る。
【００６２】
これに対してユーザーデータの再生が指示された場合、システム制御回路は、ステップＳＰ７からステップＳＰ９に移り、同様に暗号化回路２６ＢにディスクＩＤをセットし、順次再生されるユーザーデータの暗号化を解除して出力した後、ステップＳＰ５に戻る。
【００６３】
これに対してユーザーによる操作が完了すると、ステップＳＰ５において肯定結果が得られることにより、システム制御回路は、ステップＳＰ１０に移り、ここで光ディスク２２を排出した後、ステップＳＰ２に戻る。
【００６４】
（１−２）第１の実施の形態の動作
以上の構成において、光ディスク装置２１は（図１及び図２）、光ディスク２２が装填されると、リードインエリアに隣接する内周側領域がアクセスされ、ここに制御領域が形成されているか否か判断され、ここで制御領域が形成されていない場合、初期化の処理により制御領域が形成される。また制御領域が形成されている場合、この制御領域に割り当てられた各種データが取得される。
【００６５】
ここでこの制御領域においては（図３）、光ディスク２２に形成されたエンボスピットによる物理アドレスを基準にして１ＥＣＣデータブロックによるデータ構成にＶＦＯ信号ＶＦＯ、セクタアドレスＳＳが付加されて形成される。さらに、このＥＣＣデータブロックにおいて、フレーム同期信号ＳＹ０〜ＳＹ７を基準にした２６フレーム単位の各セクタに、同期信号であるセクタアドレスＳ．ＡＤに代えてディスクＩＤが割り当てられ、さらにユーザーデータの領域に制御データが割り当てられて形成される。
【００６６】
ここでこのセクタアドレスＳ．ＡＤにおいては、外部機器によるアプリケーションソフトによってはアクセス困難で、さらにインターフェース１０を介して実行されるアクセスによっても外部機器により取得困難な特徴がある。これによりこの実施の形態では、暗号化の処理に必要なディスクＩＤを検出、解析困難に光ディスク２２に記録することが可能となる。
【００６７】
さらに光ディスク装置１においては、この制御データ、ディスクＩＤを暗号化して記録することにより、さらに検出、解析困難にディスクＩＤを光ディスク２２に記録する。さらに誤り訂正符号を付加して記録することにより、確実に再生できるようにディスクＩＤを記録する。
【００６８】
かくするにつきこのようにしてセクタアドレスＳ．ＡＤに代えてディスクＩＤを記録する場合にあっては、本来、この領域に記録されるはずの同期信号であるセクタアドレスＳ．ＡＤが記録されていないことにより、この制御領域をアクセスする際に何らかの問題が発生することが考えられる。
【００６９】
しかしながらＲＡＭディスクにおいては、エンボスピットによるディスク上の物理位置を示すプリアドレスが存在し、このプリアドレスを基準にしてデータ列が記録、再生される。このとき同期信号にあっては、何れかの同期信号が１種類あれば、すなわち例えばフレーム同期信号については、ＥＣＣデータブロックで１つ検出されれば、プリアドレスの位置から、データの位置を特定することができる。なおこの場合に、同期はずれから復帰する再同期の場合を考慮しても、同期信号は最低１種類あれば、プリアドレスからの予測位置をもとに再同期をかけることが可能となる。
【００７０】
実際には必要なデータ群の前に同期がかけられる必要があるため、プリアドレスで分断される各データ群の先頭（前部）にＶＦＯ領域、セクタ領域信号（フレームアドレス）を設ける必要があるが、これらの同期信号も１種類で良く、また、セクタアドレス情報は必ずしも必要とされるわけではない。
【００７１】
これによりこの実施の形態に係る光ディスク装置２１のように、物理アドレスを基準にしたカウンタによるカウント結果を基準にしてセクタアドレス、フレームアドレスを判定し、さらにはカウント結果よりフレーム同期、セクタ同期することにより、このようにセクタアドレスＳ．ＡＤに代えてディスクＩＤを記録するようにしても、正しくフレーム同期、セクタ同期してユーザーデータに割り当てた制御データを再生でき、さらにはディスクＩＤを取得することが可能となる。
【００７２】
かくするにつき、未使用ディスクについては、このようにしてディスクＩＤを記録し、さらには制御領域が形成されたディスクについては、この制御領域よりディスクＩＤを取得した後、光ディスク装置２１においては、外部機器より入力されるユーザーデータＤ１がこのディスクＩＤにより暗号化されて光ディスク２２に記録され、またこの光ディスク２２より再生されたユーザーデータＤ１の暗号化がこのディスクＩＤを用いて解除されて、外部機器に出力される。
【００７３】
（１−３）第１の実施の形態の効果
以上の構成によれば、セクタ同期信号であるセクタアドレスに、暗号化のキーデータであるディスクＩＤを割り当てて記録することにより、発見、解析困難に、暗号化のキーデータを記録することができる。
【００７４】
またこのディスクＩＤを暗号化して記録することにより、一段と発見、解析困難にキーデータを記録することができる。
【００７５】
さらに誤り訂正符号を付加して記録することにより、確実にキーデータを再生することができる。
【００７６】
（２）第２の実施の形態
図４は、図３との対比により本発明の第２の実施の形態に係る光ディスクの記録フォーマットを示す図表である。この実施の形態においては、セクタアドレスＳ．ＡＤに代えてフレーム同期信号ＳＹ０〜ＳＹ７にディスクＩＤを割り当てて記録する。なおこの実施の形態は、本願の参考例を示すものである。
【００７７】
これに対応してこの実施の形態に係る光ディスク装置においては、第１の実施の形態と同様にして光ディスクをアクセスして未使用ディスクか否か判断し、必要に応じて初期化の処理を実行する。さらに初期化の処理において、第１の実施の形態と同様にして制御データ、ディスクＩＤによりＥＣＣデータブロックを構成し、このＥＣＣデータブロックを光ディスクに記録する。このとき光ディスク装置においては、セクタアドレスＳ．ＡＤに代えてフレーム同期信号ＳＹ０〜ＳＹ７の一部にディスクＩＤを割り当ててＥＣＣデータブロックを構成し、このＥＣＣデータブロックを光ディスクに記録する。
【００７８】
これに対応して光ディスク装置においては、制御領域が形成されている場合には、第１の実施の形態に係る光ディスクと同様にしてこの制御領域をアクセスして制御データを取得する。このとき光ディスク装置は、制御データと共にフレーム同期信号ＳＹ０〜ＳＹ７をレジスタ２５に格納し、所定の判定回路によりこのレジスタ２５に格納したフレーム同期信号ＳＹ０〜ＳＹ７を判定してディスクＩＤを取得する。
【００７９】
このとき光ディスク装置においては、第１の実施の形態に係る光ディスク装置と同様に、物理アドレスに基づくクロックのカウント結果を基準にしてフレーム同期、セクタ同期し、さらにＶＦＯ信号ＶＦＯによりクロックを再同期させると共に、正しく再生されるフレーム同期信号ＳＹ０〜ＳＹ７、セクタアドレスＳＳによりこのカウント結果を補正し、これによりフレーム同期信号ＳＹ０〜ＳＹ７の一部にディスクＩＤを割り当てて記録しても、正しくフレーム同期、セクタ同期してディスクＩＤを再生し、また制御データを再生できるようになされている。なおこの実施の形態においても、光ディスク装置は、ディスクＩＤ、制御データを暗号化して記録する。
【００８０】
光ディスク装置においては、このようにして光ディスクに記録したディスクＩＤにより、また光ディスクより再生したディスクＩＤにより第１の実施の形態と同様にしてユーザーデータを処理する。
【００８１】
すなわちフレーム同期信号ＳＹ０〜ＳＹ７においても、第１の実施の形態について上述したように、物理アドレスが設定されているＲＡＭディスクにおいては、必ずしも必要ではない。
【００８２】
ここで１つのＥＣＣデータブロックは、１６セクタで構成され、さらに２６フレームで１セクタが構成されていることにより、フレーム同期信号（フレームアドレス情報）ＳＹ０〜ＳＹ７のうち符号距離の遠い、判別し易い２種類を用いて、１ビットのデータをアサインすると、１セクタに２６ビット／セクタの情報を割り当てることができる。すなわち１セクタ中に少なくとも３バイトの情報を割り当てることができる。これによりＥＣＣデータブロック全体として、４８バイトの情報を割り当てることができる。
【００８３】
これにより光ディスク装置においては、初期化の処理においては、フレーム同期信号ＳＹ０〜ＳＹ７のうち符号距離の遠い２種類を用いて、１ビットのデータをアサインし、誤り訂正符号を含めて、全体として４８バイトによりディスクＩＤを形成し、このディスクＩＤを光ディスクに記録する。さらに再生時においては、レジスタ２５に保持したフレーム同期信号ＳＹ０〜ＳＹ７の判定結果よりディスクＩＤを再生する。
【００８４】
図４に示す構成によれば、ＥＣＣデータブロックの同期信号であるフレーム同期信号に割り当ててディスクＩＤを記録するようにしても、第１の実施の形態と同様の効果を得ることができる。
【００８５】
（３）第３の実施の形態
図５は、図３との対比により本発明の第３の実施の形態に係る光ディスクの記録フォーマットを示す図表である。この実施の形態においては、セクタアドレスＳ．ＡＤに代えてＶＦＯ信号ＶＦＯの領域にディスクＩＤを割り当てて記録する。なおこの実施の形態は、本願の参考例を示すものである。
【００８６】
これに対応してこの実施の形態に係る光ディスク装置においては、第１の実施の形態と同様にして光ディスクをアクセスして未使用ディスクか否か判断し、必要に応じて初期化の処理を実行する。さらに初期化の処理において、第１の実施の形態と同様にして制御データ、ディスクＩＤによりＥＣＣデータブロックを構成し、このＥＣＣデータブロックを光ディスクに記録する。このとき光ディスク装置においては、第１の実施の形態に比して短い期間の間、ＶＦＯ信号ＶＦＯを割り当てた後、ディスクＩＤのデータを割り当て、これらのＶＦＯ信号ＶＦＯ及びディスクＩＤのデータを割り当てた期間が、図７について上述したＶＦＯ信号ＶＦＯの期間に相当するようにする。
【００８７】
これに対応して光ディスク装置においては、制御領域が形成されている場合には、第１の実施の形態に係る光ディスクと同様にしてこの制御領域をアクセスして制御データを取得する。このとき光ディスク装置は、ＶＦＯ信号ＶＦＯより連続する再生データＤＰをレジスタ２５に格納し、フレーム同期信号ＳＹ０が検出されたタイミング又はセクタアドレスＳＳが検出されたタイミングを基準にしてこのレジスタ２５に保持したデータを選択的に処理することによりディスクＩＤを検出する。なおこの実施の形態においても、光ディスク装置は、ディスクＩＤ、制御データを暗号化して記録する。
【００８８】
光ディスク装置においては、このようにして光ディスクに記録したディスクＩＤより、また光ディスクより再生したディスクＩＤにより第１の実施の形態と同様にしてユーザーデータを処理処理する。
【００８９】
図５に示す構成によれば、ＥＣＣデータブロックの同期信号であるＶＦＯ信号の一部領域にディスクＩＤを割り当てて記録するようにしても、第１の実施の形態と同様の効果を得ることができる。
【００９０】
（４）第４の実施の形態
図６は、図１との対比により本発明の第４の実施の形態に係る光ディスク装置におけるシステム制御回路の処理手順を示すフローチャートである。この光ディスク装置においては、第１の実施の形態と同様にしてリードインエリアに近接する領域に制御領域を形成し、この制御領域にディスクＩＤを記録する。さらに各ＥＣＣデータブロック毎に、各ＥＣＣデータブロックに固有のブロックＩＤを生成し、このブロックＩＤとディスクＩＤによりユーザーデータを暗号化する。さらに光ディスク装置は、各ブロックＩＤについては、対応するＥＣＣデータブロックを記録する際に光ディスクに記録する。
【００９１】
この処理に対応するように光ディスク装置においては、上述した初期化の場合と同様にしてＥＣＣデータブロックを構成してブロックＩＤを光ディスクに記録する。また光ディスクよりディスクＩＤを取得し、このディスクＩＤを取得する処理と同様にして各ＥＣＣデータブロックよりブロックＩＤを取得し、この取得したディスクＩＤ及びブロックＩＤによりユーザーデータの暗号化を解除する。なおこの実施の形態にかかる光ディスク装置においては、図２について上述した光ディスク装置１と各部の構成が共通することにより、以下のシステム制御回路の説明においては、この図２に示す構成を利用して説明する。
【００９２】
すなわちシステム制御回路においては、ステップＳＰ２１からステップＳＰ２２に移り、光ディスク２２の装填を待機し、光ディスク２２が装填されると、ステップＳＰ２３に移る。
【００９３】
ここでシステム制御回路は、リードインエリアをアクセスするように全体の動作を制御し、このリードインエリアより種々の情報を取得し、続いてこのリードインエリアに隣接する内周側領域をアクセスするように全体の動作を制御する。システム制御回路は、変調復調回路２３における処理結果よりこの内周側領域に制御領域が形成されているか否か判断し、制御領域が形成されいない場合には、光ディスクが初期化されていない未使用のＲＡＭディスクと判断してステップＳＰ２４に移る。
【００９４】
システム制御回路は、このステップＳＰ２４において、レジスタ２５に制御データをセットすると共に、ディスクＩＤレジスタ２７にディスクＩＤをセットし、これによりディスクＩＤ及び制御データをデータ処理回路２６により暗号化し、また誤り訂正符号を付加する。さらにシステム制御回路は、制御領域をアクセスするように、光ピックアップ４の送り機構等を制御し、リードインエリアに続いてディスクＩＤ、制御データを記録して制御領域を形成した後、ステップＳＰ２５に移る。
【００９５】
システム制御回路は、これに対して制御領域が既に形成されている場合、ステップＳＰ２３において未使用ディスクではないと判断してステップＳＰ２６に移る。ここでシステム制御回路は、この制御領域より得られる再生データＤＰをレジスタ２５に取り込んだ後、この取り込んだ再生データＤＰをデータ処理回路２６により処理し、これによりディスクＩＤ、制御データを再生する。システム制御回路は、この制御データを内蔵のメモリに取り込んで保持すると共に、ディスクＩＤについてはレジスタ２７に保持する。
【００９６】
これによりシステム制御回路は、未使用ディスクについては、ディスクＩＤを制御データと共に光ディスク２２に記録し、このディスクＩＤ及び制御データによりユーザーデータＤ１を記録再生できるようになされ、既に制御領域が形成された光ディスク２２については、この制御領域より再生したディスクＩＤ及び制御データによりユーザーデータを記録再生できるようになされている。
【００９７】
続いてシステム制御回路は、ステップＳＰ２５において、操作が終了したか否か判断し、ここで否定結果が得られると、ステップＳＰ２７に移る。ここでシステム制御回路は、ユーザー領域へのユーザーデータの記録が指示されたか、ユーザーデータの再生が指示されたか判断し、ここでユーザーデータの記録が指示された場合、ステップＳＰ２８に移る。
【００９８】
このステップＳＰ２８において、システム制御回路は、ＥＣＣデータブロック毎にブロックＩＤの生成を指示し、この生成したブロックＩＤをディスクＩＤと共に暗号化回路２６Ｂにセットし、順次入力されるユーザーデータをこれらブロックＩＤ及びディスクＩＤにより暗号化処理してＥＣＣデータブロックを構成する。さらにシステム制御回路は、このブロックＩＤを暗号化処理すると共に誤り訂正符号を付加し、ＥＣＣデータブロックのセクタアドレスＳ．ＡＤに設定する。システム制御回路は、このようにして順次ブロックＩＤを生成すると共に、この生成したブロックＩＤを各ＥＣＣデータブロックに割り当てて順次記録した後、ステップＳＰ２５に戻る。
【００９９】
これに対してユーザーデータの再生が指示された場合、システム制御回路は、ステップＳＰ２７からステップＳＰ２９に移り、再生データＤＰよりブロックＩＤを再生し、このブロックＩＤと保持したディスクＩＤとを暗号化回路２６Ｂにセットする。さらにシステム制御回路は、順次再生されるユーザーデータの暗号化をこれらブロックＩＤ及びディスクＩＤにより解除して出力した後、ステップＳＰ２５に戻る。
【０１００】
これにより光ディスク装置においては、各ＥＣＣデータブロック毎に設定したブロックＩＤと光ディスクに設定したディスクＩＤとによりユーザーデータを暗号化して記録し、またこのようにして暗号化して記録したユーザーデータを再生する。
【０１０１】
これに対してユーザーによる操作が完了すると、ステップＳＰ２５において肯定結果が得られることにより、システム制御回路は、ステップＳＰ３０に移り、ここで光ディスク２２を排出した後、ステップＳＰ２２に戻る。
【０１０２】
図６に示すように、各ＥＣＣデータブロック毎に設定したブロックＩＤと光ディスクに設定したディスクＩＤとによりユーザーデータを暗号化して記録し、またこのようにして暗号化して記録したユーザーデータを再生するようにし、これらディスクＩＤ及びブロックＩＤをＥＣＣデータブロックの同期信号であるセクタアドレスの領域に記録することにより、第１の実施の形態に比してさらに一段とこの種のキーデータの発見、解析を困難にして、安全性を向上することができる。
【０１０３】
（５）他の実施の形態
なお上述の第４の実施の形態においては、ブロックＩＤをセクタアドレスの領域に記録する場合について述べたが、本発明はこれに限らず、第２及び第３の実施の形態のように、フレーム同期信号等に割り当てて記録するようにしてもよい。
【０１０４】
また上述の実施の形態においては、各種同期信号の何れかにキー情報を記録する場合について述べたが、本発明はこれに限らず、例えばキー情報をセクタアドレス及びフレーム同期信号に分割して割り当てる場合等、これらキーデータを複数種類の同期信号に割り当てるようにしてもよい。
【０１０５】
さらに上述の実施の形態においては、ディスクＩＤ、ブロックＩＤを記録する場合について述べたが、本発明はこれに限らず、各コンテンツに固有のコンテンツＩＤ、各光ディスク装置に固有のドライブＩＤ、ブロックアドレス番号、ディスク番号等を併せて記録するようにし、またこれらを加えてキーデータをさらに複雑に作成するようにしてもよい。
【０１０６】
また上述の実施の形態においては、制御データを暗号化して記録する場合について述べたが、本発明はこれに限らず、制御データについては暗号化しないようにしてもよい。
【０１０７】
さらに上述の実施の形態においては、ディスクＩＤ、ブロックＩＤを暗号化して記録する場合について述べたが、本発明はこれに限らず、必要に応じて暗号化しないで記録してもよく、さらには単一のキーデータによる暗号化に代えてディスクＩＤ、ブロックＩＤを種々に加工して暗号化してもよい。
【０１０８】
また上述の実施の形態においては、光ディスクに記録するディスクＩＤ、ブロックＩＤによりユーザーデータを暗号化して記録する場合について述べたが、本発明はこれに限らず、これらディスクＩＤ、ブロックＩＤを種々に加工、処理してキーデータを生成し、このキーデータによりユーザーデータを暗号化するようにしてもよい。
【０１０９】
また上述の実施の形態においては、再生したディスクＩＤ等をレジスタ２５に一時保持して処理する場合について述べたが、本発明はこれに限らず、必要に応じてユーザーデータを処理するメモリ８でレジスタ２５と共用してもよく、また誤り訂正回路等に内蔵のメモリをレジスタ２５に代えて用いてもよい。
【０１１０】
【発明の効果】
上述のように本発明によれば、ブロック毎のブロック識別情報又は光ディスクのディスク識別情報を各ブロックの同期情報の領域に割り当てて記録することにより、発見、解析困難に、暗号化のキーデータ等を記録することができるようにする。
【図面の簡単な説明】
【図１】本発明の第１の実施の形態に係る光ディスク装置のシステム制御回路の処理手順を示すフローチャートである。
【図２】図１のシステム制御回路が適用される光ディスク装置を示すブロック図である。
【図３】図２の光ディスク装置による光ディスクのフォーマットを示す図表である。
【図４】第２の実施の形態に係る光ディスク装置による光ディスクのフォーマットを示す図表である。
【図５】第３の実施の形態に係る光ディスク装置による光ディスクのフォーマットを示す図表である。
【図６】第４の実施の形態に係る光ディスク装置のシステム制御回路の処理手順を示すフローチャートである。
【図７】従来の光ディスク装置による光ディスクのフォーマットを示す図表である。
【図８】従来の光ディスク装置を示すブロック図である。
【符号の説明】
１、２１……光ディスク装置、３、２２……光ディスク、８……メモリ、９、２６……データ処理回路、２５……レジスタ、２７……ディスクＩＤレジスタ
【図１】
0004009800.tif 000002
【図２】
0004009800.tif 000003
【図３】
0004009800.tif 000004
【図４】
0004009800.tif 000005
【図５】
0004009800.tif 000006
【図６】
0004009800.tif 000007
【図７】
0004009800.tif 000008
【図８】
0004009800.tif 000009